(57)【要約】【課題】例えば切り貼り等による改竄の懸念、及びパターン解読の可能性が抑制された、セキュリティー性の高い印刷物を提供すること。【解決手段】基材上に、文字列が印刷されている印刷物であって、前記文字列は、隣接する２個以上の文字列構成文字から成り、前記文字列構成文字は空白であってもよく、ただし、前記文字列構成文字のすべてが空白であることはなく、前記文字列構成文字のうちの少なくとも一部はパターン付き文字であり、前記パターン付き文字のそれぞれは、パターン付き文字線によって表記されており、前記パターン付き文字それぞれの前記パターン付き文字線のパターンは、１個又は２個以上の参照位置の文字列構成文字によって決定されており、前記参照位置は、前記文字列における当該パターン付き文字の位置以外の位置を含む、印刷物。【選択図】図２
2020185677.tif 000002
【特許請求の範囲】
【請求項１】
基材上に、文字列が印刷されている印刷物であって、
前記文字列は、隣接する２個以上の文字列構成文字から成り、
前記文字列構成文字は空白であってもよく、ただし、前記文字列構成文字のすべてが空白であることはなく、
前記文字列構成文字のうちの少なくとも一部はパターン付き文字であり、
前記パターン付き文字のそれぞれは、パターン付き文字線によって表記されており、
前記パターン付き文字それぞれの前記パターン付き文字線のパターンは、１個又は２個以上の参照位置の文字列構成文字によって決定されており、
前記参照位置は、前記文字列における当該パターン付き文字の位置以外の位置を含む、
印刷物。
【請求項２】
前記参照位置が１個である、請求項１に記載の印刷物。
【請求項３】
前記参照位置が２個である、請求項１に記載の印刷物。
【請求項４】
前記文字列構成文字が数字を含む、請求項１〜３のいずれか一項に記載の印刷物。
【請求項５】
前記文字列構成文字がアルファベットを含む、請求項１〜４のいずれか一項に記載の印刷物。
【請求項６】
前記文字列構成文字が印刷インクによって表記されており、前記印刷インクが磁気インクである、請求項１〜５のいずれか一項に記載の印刷物。
【請求項７】
前記印刷物が有価証券である、請求項１〜６のいずれか一項に記載の印刷物。
【請求項８】
基材上に、文字列が印刷されている印刷物の製造方法であって、
前記文字列は、隣接する２個以上の文字列構成文字から成り、
前記製造方法は、
（１）前記文字列に含まれる２個以上の文字列構成文字を決定すること、
（２）前記文字列構成文字のうちの少なくとも一部を、パターン付き文字線によって表記することを決定すること、及び
（３）前記基材上に、前記文字列を印刷すること、
を含み、
前記工程（１）において、前記文字列構成文字は空白としてもよく、ただし、前記文字列構成文字のすべてを空白とすることはなく、
前記工程（２）において、前記パターン付き文字線のパターンを、前記文字列における当該パターン付き文字の位置以外の参照位置を含む、１個又は２個以上の参照位置の文字列構成文字によって決定することを含む、
製造方法。
【請求項９】
基材上に、文字列が印刷されている印刷物の真贋判定方法であって、
前記文字列は、隣接する２個以上の文字列構成文字から成り、
前記文字列構成文字は空白であってもよく、ただし、前記文字列構成文字のすべてが空白であることはなく、
前記文字列構成文字のうちの少なくとも一部はパターン付き文字であり、
前記パターン付き文字のそれぞれは、パターン付き文字線によって表記されており、
前記パターン付き文字それぞれの前記パターン付き文字線のパターンは、１個又は２個以上の参照位置の文字列構成文字によって決定されており、
前記参照位置は、前記文字列における当該パターン付き文字の位置以外の位置を含み、
前記真贋判定方法は、前記パターン付き文字のうちのそれぞれが、前記参照位置の文字列構成文字によって決定されたパターンを有する、所定のパターン付き文字線によって表記されているか否かを検出することを含む、
真贋判定方法。
【請求項１０】
前記パターン付き文字のそれぞれが、前記所定のパターン付き文字線によって表記されているか否かを検出することを、光学的に行う、請求項９に記載の真贋判定方法。
【請求項１１】
前記パターン付き文字のそれぞれが、前記所定のパターン付き文字線によって表記されているか否かを検出することを、磁気的に行う、請求項９又は１０に記載の真贋判定方法。
【発明の詳細な説明】
【技術分野】
【０００１】
本発明は、印刷物及びその製造方法に関する。詳しくは、改竄及び偽造が困難であり、真贋判定が容易な、有価証券等に適用可能な印刷物、及びその製造方法に関する。
【背景技術】
【０００２】
口座番号、取引金額等のセキュリティー性の高い可変情報を含む文字列を有する有価証券類では、例えば、印字文字の切り貼り等による改竄等に対する防止策が施されていることを要する。
【０００３】
改竄等防止策として、例えば、地紋を有する基材上に、地紋と異なる色の文字列を印字する方法が知られている。例えば、特許文献１には、複数の印字枠内に可変情報データが印字されている１面が多面付けで配列される基材の全面に、可視光下で視認不可能な特殊インキによって、不等間隔の斜線が印刷された偽造防止策が施された印刷物が、記載されている。
【０００４】
また、文字列を、パターン付き文字線によって表記する方法が知られている。例えば、特許文献２には、可変情報の各桁の数値に応じて予め設定された基本彩文図形を組み合わせて、印刷物１枚ごとに個別の彩文を設定し、この個別に設定された彩文パターンの文字線で可変情報データを印字することが記載されている。
【先行技術文献】
【特許文献】
【０００５】
【特許文献１】特開２００４−１４８７１２号公報
【特許文献２】特開２０１７−１３６８４５号公報
【発明の概要】
【発明が解決しようとする課題】
【０００６】
上述の先行技術文献に記載された改竄等防止策を採用した場合でも、例えば、切り貼り等による改竄、パターン設定の解読等の懸念が、完全には払拭されていない。
【０００７】
本発明は、上記の先行技術における懸念を払拭しようとするものであり、例えば切り貼り等による改竄の懸念、及びパターン解読の可能性が抑制された、セキュリティー性の高い印刷物、及びその製造方法を提供することを目的とする。
【課題を解決するための手段】
【０００８】
本発明は、以下のとおりである。
《態様１》基材上に、文字列が印刷されている印刷物であって、
上記文字列は、隣接する２個以上の文字列構成文字から成り、
上記文字列構成文字は空白であってもよく、ただし、上記文字列構成文字のすべてが空白であることはなく、
上記文字列構成文字のうちの少なくとも一部はパターン付き文字であり、
上記パターン付き文字のそれぞれは、パターン付き文字線によって表記されており、
上記パターン付き文字それぞれの上記パターン付き文字線のパターンは、１個又は２個以上の参照位置の文字列構成文字によって決定されており、
上記参照位置は、上記文字列における当該パターン付き文字の位置以外の位置を含む、
印刷物。
《態様２》上記参照位置が１個である、態様１に記載の印刷物。
《態様３》上記参照位置が２個である、態様１に記載の印刷物。
《態様４》上記文字列構成文字が数字を含む、態様１〜３のいずれか一項に記載の印刷物。
《態様５》上記文字列構成文字がアルファベットを含む、態様１〜４のいずれか一項に記載の印刷物。
《態様６》上記文字列構成文字が印刷インクによって表記されており、上記印刷インクが磁気インクである、態様１〜５のいずれか一項に記載の印刷物。
《態様７》上記印刷物が有価証券である、態様１〜６のいずれか一項に記載の印刷物。
《態様８》基材上に、文字列が印刷されている印刷物の製造方法であって、
上記文字列は、隣接する２個以上の文字列構成文字から成り、
上記製造方法は、
（１）上記文字列に含まれる２個以上の文字列構成文字を決定すること、
（２）上記文字列構成文字のうちの少なくとも一部を、パターン付き文字線によって表記することを決定すること、及び
（３）上記基材上に、上記文字列を印刷すること、
を含み、
上記工程（１）において、上記文字列構成文字は空白としてもよく、ただし、上記文字列構成文字のすべてを空白とすることはなく、
上記工程（２）において、上記パターン付き文字線のパターンを、上記文字列における当該パターン付き文字の位置以外の参照位置を含む、１個又は２個以上の参照位置の文字列構成文字によって決定することを含む、
製造方法。
《態様９》基材上に、文字列が印刷されている印刷物の真贋判定方法であって、
上記文字列は、隣接する２個以上の文字列構成文字から成り、
上記文字列構成文字は空白であってもよく、ただし、上記文字列構成文字のすべてが空白であることはなく、
上記文字列構成文字のうちの少なくとも一部はパターン付き文字であり、
上記パターン付き文字のそれぞれは、パターン付き文字線によって表記されており、
上記パターン付き文字線のパターンは、１個又は２個以上の参照位置の文字列構成文字によって決定されており、
上記参照位置は、上記文字列における当該パターン付き文字の位置以外の位置を含み、
上記真贋判定方法は、上記パターン付き文字のうちのそれぞれが、上記参照位置の文字列構成文字によって決定されたパターンを有する、所定のパターン付き文字線によって表記されているか否かを検出することを含む、
真贋判定方法。
《態様１０》上記パターン付き文字のそれぞれが、上記所定のパターン付き文字線によって表記されているか否かを検出することを、光学的に行う、態様９に記載の真贋判定方法。
《態様１１》上記パターン付き文字のそれぞれが、上記所定のパターン付き文字線によって表記されているか否かを検出することを、磁気的に行う、態様９又は１０に記載の真贋判定方法。
【発明の効果】
【０００９】
本発明によると、例えば切り貼り等による改竄の懸念、及びパターン解読の可能性が抑制された、セキュリティー性の高い印刷物、及びその製造方法が得られる。
【図面の簡単な説明】
【００１０】
【図１】図１（ａ）は、本明細書における「文字線」を定義するための説明図である。図１（ｂ）及び図１（ｃ）は、それぞれ、パターン付き文字線で印刷された文字列構成文字の例である。
【図２】図２（ａ）は、本発明の印刷物を製造するために好ましく用いられるパターンテーブルの一例である。図２（ｂ）は、図２（ａ）のパターンテーブルを用いて、文字列「１２３」を有する印刷物を正規に製造した場合の一例である。図２（ｃ）は、図２（ｂ）の印刷物を切り貼りして、文字列「１２３」を「３１２」に改竄した場合の一例である。図２（ｄ）は、図２（ａ）のパターンテーブルを用いて、文字列「３１２」を有する印刷物を正規に製造した場合の一例である。
【図３】図３は、種々のパターン付き文字線によって表記されたアラビア数字の「０」であって、磁気インクを用いて印刷された数字「０」を、市販の磁気インク文字読取装置で読み込んだときに得られた、磁気パターンを示すグラフである。パターン付き文字線のパターンは、（ａ）がパターンなし（実線）、（ｂ）が縦ストライプ状、（ｃ）が横ストライプ状、及び（ｄ）が斜めストライプ状である。
【図４】図４は、種々のパターン付き文字線によって表記されたアラビア数字の「１」であって、磁気インクを用いて印刷された数字「１」を、市販の磁気インク文字読取装置で読み込んだときに得られた、磁気パターンを示すグラフである。パターン付き文字線のパターンは、（ａ）がパターンなし（実線）、（ｂ）が縦ストライプ状、（ｃ）が横ストライプ状、及び（ｄ）が斜めストライプ状である。
【図５】図５は、種々のパターン付き文字線によって表記されたアラビア数字の「３」であって、磁気インクを用いて印刷された数字「３」を、市販の磁気インク文字読取装置で読み込んだときに得られた、磁気パターンを示すグラフである。パターン付き文字線のパターンは、（ａ）がパターンなし（実線）、（ｂ）が縦ストライプ状、（ｃ）が横ストライプ状、及び（ｄ）が斜めストライプ状である。
【発明を実施するための形態】
【００１１】
《印刷物》
本発明の印刷物は、
基材上に、文字列が印刷されている印刷物であって、
前記文字列は、隣接する２個以上の文字列構成文字から成り、
前記文字列構成文字は空白であってもよく、ただし、前記文字列構成文字のすべてが空白であることはなく、
前記文字列構成文字のうちの少なくとも一部はパターン付き文字であり、
前記パターン付き文字のそれぞれは、パターン付き文字線によって表記されており、
前記パターン付き文字線の前記パターンは、１個又は２個以上の参照位置の文字列構成文字によって決定されており、
前記参照位置は、前記文字列における当該パターン付き文字の位置以外の位置を含む、
印刷物である。
【００１２】
〈基材〉
本発明の印刷物における基材としては、印刷物に通常使用されている基材を適宜に選択して使用してよい。基材を構成する材料は、例えば、紙、合成紙、合成樹脂フィルム、不織布等であってよい。基材は、典型的には紙から構成されていてよく、紙は、例えば、上質紙、コート紙、マットコート紙、クラフト紙、カラーペーパー、和紙等の他、紙幣用紙であってもよい。
【００１３】
〈文字列〉
本発明の印刷物における文字列は、隣接する２個以上の文字列構成文字から成り、
文字列構成文字は空白であってもよいが、文字列構成文字のすべてが空白であることはない。
【００１４】
本発明の印刷物における文字列は、視認者に、具体的又は抽象的な意味内容を有するものではなく、当該印刷物を同種の他の印刷物と区別するために当該印刷物に付与された識別標識の機能を有していてよい。本発明が想定する文字列は、典型的には例えば、口座番号、取引金額、製品のシリアルナンバー、勝馬投票券の馬番号及び枠番号等である。
【００１５】
したがって、文字列構成文字は、過度に多くの種類の文字から選択される必要はなく、例えば、数字、アルファベット、平仮名、片仮名、通貨記号（例えば、「￥」、「＄」等）等、及び空白から選択されてよい。更に、漢字も、文字列構成文字の選択肢に加えてよい。数字は、アラビア数字、ローマ数字、漢数字等から選択されてよい。アルファベットは、大文字及び小文字から選択されてよい。文字列構成文字の選択肢に加えられる漢字の種類は、例えば、１００種類以下、８０種類以下、５０種類以下、３０種類以下、２０種類以下、又は１０種類以下であってよい。
【００１６】
本発明の印刷物における文字列は、例えば、数字を含んでいてよく、アルファベットを含んでいてよく、数字及びアルファベットの双方を含んでいてよい。
【００１７】
（パターン付き文字）
本発明の印刷物では、文字列を構成する文字列構成文字のうちの少なくとも一部はパターン付き文字である。このパターン付き文字は、パターン付き文字線によって表記されている。
【００１８】
文字線とは、基材上に文字を印刷するときに、地の色との色調差によって視認者に文字を認識させるために、インクを付着させて表記した部分をいう。
【００１９】
基材上に、アラビア数字の「１」を明朝体で印刷した例を、図１（ａ）に示した。図１（ａ）の「１」という文字（１００）における文字線（１０）は、ステム（１）と、上部修飾セリフ（ｓｅｒｉｆ）（２）と、下部修飾セリフ（３）とによって構成されており、このような構成要素を有する文字線（１０）によって、文字（１００）が表記されている。視認者は、例えば基材の地の色と、文字線（１０）の色との色調差により、「１」という文字（１００）を視認することができる。
【００２０】
アラビア数字の「１」をパターン付き文字として印刷した例を、図１（ｂ）及び図１（ｃ）に示した。図１（ｂ）における文字線は、斜めストライプ状のパターンが付与されたパターン付き文字線（２０）であり、このパターン付き文字線（２０）によって、「１」というパターン付き文字（２００）が表記されている。図１（ｃ）は、図１（ｂ）のパターン付き文字（２００）に輪郭線が付与されたパターン付き文字（３００）であり、この場合も、斜めストライプ状のパターンが付与されたパターン付き文字線によって表記されたパターン付き文字であると評価してよい。
【００２１】
パターン付き文字線のパターンは、斜めストライプ状に限られず、パターン付き文字線によって表記された文字列構成文字が、意図された文字として視認可能である限り、任意のパターンであってよい。例えば、斜めストライプ状の他、縦ストライプ状、横ストライプ状、ドット状、格子状、斜め格子状、波線状、市松模様状、鱗文状、ヘリンボーン状、動物柄状、グレースケール等、又はこれらの組合せ等であってよい。また、例えば、ストライプの間隔、ストライプの線の太さ、斜めストライプの角度、ドットの大きさ、ドットの密度、格子間隔、グレースケールの濃淡等が異なるパターンは、同種のパターンとして設定してもよいし、異種のパターンとして設定してもよい。
【００２２】
本発明では、パターン付き文字線が有するパターンは、１個又は２個以上の参照位置の文字列構成文字によって決定される。すなわち、文字列を構成する文字列構成文字のそれぞれについて、当該文字列構成文字に対して、特定の位置関係を参照位置として定めておき、この参照位置に存在する文字列構成文字の種類によって、当該文字列構成文字を構成するパターン付き文字線のパターンを決定するのである。参照位置については後述する。
【００２３】
本発明の印刷物では、文字列を構成する文字列構成文字のうちの少なくとも一部がパターン付き文字であれば足りるが、文字列を構成する文字列構成文字の全部が、パターン付き文字であってもよい。
【００２４】
（パターンの決定手順の例）
パターン付き文字線のパターンを決定する手順について、図２を参照しながら具体的に説明する。図２の例では、文字列構成文字はアラビア数字及び空白から成るものとする。参照位置は、文字列構成文字のそれぞれについて、当該文字列構成文字の左隣とし、参照位置は１個とする。
【００２５】
図２（ａ）は、参照位置に存在する文字列構成文字の種類に応じて、パターン付き文字線のパターンを定めた、パターンテーブルの一例である。例えば、ある特定の文字列構成文字の参照位置（図２の例では左隣）の文字列構成文字が「８」であれば、図２（ａ）のパターンテーブルにより、斜め格子状のパターンが指定される。したがって、当該特定の文字列構成文字は、斜め格子状のパターンを有するパターン付き文字線で表記されることになる。
【００２６】
図２（ｂ）は、図２（ａ）のパターンテーブルにしたがって、文字列「１２３」を印刷した例である。文字列「１２３」の一番左側の文字列構成文字「１」は、参照位置である左隣に文字は存在しないが、この場合には、左隣に「空白」が存在すると解釈してよい。参照位置に文字列構成文字が存在しない場合の取り扱いはこれに限られず、任意の方式で定めてよい。例えば参照位置に文字列構成文字が存在しないときは、右隣を参照位置としてもよいし、パターンテーブルに、参照位置に文字列構成文字が存在しない場合のパターンを含めてもよい。
【００２７】
文字列「１２３」のうちの「１」については、参照位置である左隣が「空白」であるとして図２（ａ）のパターンテーブルを参照すると、全面塗潰しのパターンが記載されている。したがって、文字列構成文字「１」は、全面塗潰しのパターンを有するパターン付き文字線（すなわち実線）で表記される。図２（ａ）のパターンテーブルによると、同様に、「２」については、左隣が「１」であるから、横ストライプ状のパターン付き文字線が指定され、「３」については、左隣が「２」であるから、斜めストライプ状のパターン付き文字線が指定される。
【００２８】
図２（ｂ）の文字列「１２３」は、文字列構成文字のそれぞれが、以上の手順によって決定されたパターン付き文字線によって表記されており、実線で表記された「１」と、横ストライプ状のパターン付き文字線で表記された「２」と、斜めストライプ状のパターン付き文字線で表記された「３」とから構成されている。
【００２９】
ここで、図２（ｂ）の文字列「１２３」を切り貼りによって文字列「３１２」に改竄した例を、図２（ｃ）に示す。図２（ｃ）の文字列は、目視で見ると「３１２」であると視認できるが、正規の文字列の作製者は、図２（ｃ）の文字列「３１２」が改竄品であることを容易に知ることができる。
【００３０】
すなわち、図２（ａ）のパターンテーブルによると、文字列「３１２」のうちの「３」の参照位置である左隣は「空白」であるから、実線で表記されるべきである。「１」については、左隣が「３」であるから、縦ストライプ状のパターン付き文字線で表記されるべきである。「２」については、左隣が「１」であるから、図２（ｂ）の場合と同じ横ストライプ状のパターン付き文字線で表記される。したがって、図２（ａ）のパターンテーブルによると、文字列「３１２」は、図２（ｄ）のように表記されるべきである。
【００３１】
本来は図２（ｄ）のように表記されるべき文字列「３１２」が、図２（ｃ）のように表記されていれば、文字列構成文字のうちの「３」及び「１」を表記する文字線のパターンが異なることから、改竄品であると知ることができる。
【００３２】
図２（ａ）のパターンテーブルでは、参照位置の文字列構成文字が０〜９まで、及び空白の１１種類すべてについて相違するパターンを充てているが、複数の文字列構成文字に同じパターンを充ててもよい。ただし、すべての文字に同じパターンを充てることは禁止される。
【００３３】
（参照位置）
パターン付き文字線のパターンを決定するための参照位置は、１個又は２個以上であり、ただし、当該パターン付き文字の位置以外の位置を含む。これは、参照位置が１個であって、かつ、当該パターン付き文字自体の位置を参照位置とすると、当該文字の種類が決まればこれを構成するパターン付き文字線のパターンが一義的に定まることになり、例えば切り貼りによる改竄があったときに、改竄品であることの認知が困難となるからである。
【００３４】
参照位置が２個以上であるときに、そのうちの１つの参照位置を、当該パターン付き文字自体の位置とすることは許容される。パターンの決定に、当該パターン付き文字の位置以外の位置の文字を参照していれば、当該文字列構成文字の種類のみによってパターン付き文字線のパターンが一義的に定まることはないからである。
【００３５】
例えば、参照位置が２個であるとき、当該パターン付き文字の左隣の位置と、右隣の位置とを参照位置とすることができる。或いは、当該パターン付き文字の１つ左隣の位置と、２つ左隣の位置とを参照位置としてもよい。
【００３６】
文字列構成文字が、アラビア数字及び空白から成る１１種とし、参照位置が２個である場合、パターン付き文字線のパターンは、最大で１１×１１＝１２１種とすることができる。しかしながら、これらのうちの複数の組合せに同じパターンを充ててもよい。ただし、すべての組合せに同じパターンを充てることは禁止される。
【００３７】
上記の説明から、当業者は、参照位置が３個以上のときについても同様に理解することができる。
【００３８】
本発明における参照位置は、典型的には、１個又は２個であってよい。
【００３９】
参照位置は、すべての文字列構成文字について同じ基準で決定する必要はなく、文字列中の位置に応じて異なる基準で参照位置を決定してもよい。例えば、文字列の１番左の文字列構成文字は、当該文字列構成文字の右隣を採用して１個の参照位置とし、文字列の左から２番目の文字列構成文字については、当該文字列構成文字の左隣及び右隣を採用して２個の参照位置としてもよい。
【００４０】
（インク）
本発明の印刷物では、文字列構成文字は、印刷インクによって表記されている。なお、本明細書における「インク」とは、液体状のインクの他に、粉体状のトナーも含む概念である。
【００４１】
本発明の印刷物における文字列は、例えば、口座番号、取引金額、シリアルナンバー
等の、当該印刷物のみに付与された識別標識の機能を含む。したがって、文字列構成文字を印刷するための印刷インクは、枚葉紙を１枚１枚印刷する方式に適用可能であり、かつ、目視で視認可能なインクであってよい。このインクとしては、通常の枚葉インクを用いることができる他、枚葉紙への印刷が可能である限り、セキュリティーインクであってもよい。
【００４２】
枚葉インクは、例えば、油性インク、大豆油インク、ベジタブルオイルインク、ＵＶインク、ＬＥＤ−ＵＶインク、インクジェットインク等であってよい。セキュリティーインクは、例えば磁気インク、磁気トナー、カーボン含有インク、蛍光インク等であってよい。
【００４３】
本発明の印刷物は、文字列を構成する文字列構成文字のうちの少なくとも一部が、それぞれ、特定の参照位置の文字列構成文字の種類によって決定された特定のパターン付き文字線で表記されたパターン付き文字である。したがって、このパターン付き文字が、所定のパターン付き文字線で表記されているかどうかを検査することにより、真正品であるか、例えば切り貼り等による改竄品であるかを、知ることができる。
【００４４】
印刷物の文字列が枚葉インクによって印刷されたものである場合、パターン付き文字線の検査は光学的に行われてよい。光学的な検査とは、本発明の印刷物の文字列が印刷された領域に光を照射したときの、透過パターン、又は反射パターンを読み取り、基材の地の部分の透過率又は反射率と、文字列構成文字の文字線の部分の透過率又は反射率と、のコントラストによって、文字種及び文字線のパターンを識別することをいう。
【００４５】
印刷物の文字列が磁気インクによって印刷されたものである場合、パターン付き文字線の検査は、光学的に行うことができる他、磁気的に行ってもよい。磁気的な検査は、例えば、磁気インク文字読取装置によって行うことができる。後述の実施例で検証されたように、磁気インクによって印刷された文字列中の文字列構成文字を、磁気インク文字読取装置を用いて読み込むと、文字列構成文字の種類、及び文字列構成文字を表記する文字線のパターンによって、磁気出力パターンが異なることになる。したがって、文字列中の文字列構成文字について得られた磁気出力パターンが、予め定められたパターンと一致するか否かを調べることにより、当該印刷物の真贋判定を行うことができる。
【００４６】
印刷物の文字列がカーボン含有インクによって印刷されたものである場合、パターン付き文字線の検査は、可視光を用いて光学的に行うことができる他、赤外線光源を有する画像読取装置によっても行うことができる。カーボン含有インクによって印刷された文字列中の文字列構成文字を、赤外線光源を有する画像読取装置を用いて読み込むと、文字列構成文字の種類、及び文字列構成文字を表記する文字線のパターンによって、赤外線画像パターンが異なることになる。したがって、文字列中の文字列構成文字について得られた赤外線画像パターンが、予め定められたパターンと一致するか否かを調べることにより、当該印刷物の真贋判定を行うことができる。
【００４７】
印刷物の文字列が蛍光インクによって印刷されたものである場合、パターン付き文字線の検査は、光学的に行うことができる他、紫外線光源を有する画像読取装置によっても行うことができる。蛍光インクによって印刷された文字列中の文字列構成文字を、紫外線光源を有する画像読取装置を用いて読み込むと、文字列構成文字の種類、及び文字列構成文字を表記する文字線のパターンによって、蛍光画像パターンが異なることになる。したがって、文字列中の文字列構成文字について得られた蛍光画像パターンが、予め定められたパターンと一致するか否かを調べることにより、当該印刷物の真贋判定を行うことができる。
【００４８】
《印刷物の適用》
本発明の印刷物は、上記のとおり、例えば切り貼りによる改竄が困難であり、真正品であるか、改竄品であるかの判定を容易に行うことができる。本発明の印刷物は、更に、パターン付き文字を表記するパターン付き文字線のパターンが、参照位置と、当該参照位置にある文字列構成文字の種類との２段階で決定されるため、パターン解読の可能性が抑制されている。したがって、本発明の印刷物は、有価証券、公営競技の投票券等に好適に適用可能である。有価証券は、例えば、株券発行会社の株券、商品券、貨物引換証、倉荷証券、為替手形、小切手等であってよい。公営競技の投票券は、例えば、勝馬投票券、勝舟投票券、勝車投票券、勝者投票券等であってよい。
【００４９】
《印刷物の製造方法》
本発明の別の観点では、
基材上に、文字列が印刷されている印刷物の製造方法であって、
上記文字列は、隣接する２個以上の文字列構成文字から成り、
上記製造方法は、
（１）上記文字列に含まれる２個以上の文字列構成文字を決定すること、
（２）上記文字列構成文字のうちの少なくとも一部を、パターン付き文字線によって表記することを決定すること、及び
（３）上記基材上に、上記文字列を印刷すること、
を含み、
上記工程（１）において、上記文字列構成文字は空白としてもよく、ただし、上記文字列構成文字のすべてを空白とすることはなく、
上記工程（２）において、上記パターン付き文字線のパターンを、上記文字列における当該パターン付き文字の位置以外の参照位置を含む、１個又は２個以上の参照位置の文字列構成文字によって決定することを含む、
製造方法が提供される。
【００５０】
上記の文字列の印刷は、例えば、インクジェットプリンタ、電子写真方式プリンタ等により行われてよい。
【００５１】
《印刷物の真贋判定方法》
本発明の更に別の観点によると、
基材上に、文字列が印刷されている印刷物の真贋判定方法であって、
上記文字列は、隣接する２個以上の文字列構成文字から成り、
上記文字列構成文字は空白であってもよく、ただし、上記文字列構成文字のすべてが空白であることはなく、
上記文字列構成文字のうちの少なくとも一部はパターン付き文字であり、
上記パターン付き文字のそれぞれは、パターン付き文字線によって表記されており、
上記パターン付き文字線のパターンは、１個又は２個以上の参照位置の文字列構成文字によって決定されており、
上記参照位置は、上記文字列における当該パターン付き文字の位置以外の位置を含み、
上記真贋判定方法は、上記パターン付き文字のそれぞれが、上記参照位置の文字列構成文字によって決定されたパターンを有する、所定のパターン付き文字線によって表記されているか否かを検出することを含む、
真贋判定方法が提供される。
【００５２】
上記の、パターン付き文字のそれぞれが、所定のパターン付き文字線によって表記されているか否かの検出は、光学的若しくは磁気的に行ってよく、又はこれらの双方で行ってよい。パターン付き文字のそれぞれが、所定のパターン付き文字線によって表記されているか否かの検出を、磁気的に行うことを含む場合、当該パターン付き文字は、磁気インクによって印刷されたものであってよい。
【実施例】
【００５３】
本実施例では、パターン付き文字線によって磁気インクを用いて表記されたアラビア数字が、磁気インク文字読取装置によって識別可能かどうかを調べた。
【００５４】
文字列構成文字として、アラビア数字の「０」、「１」、及び「３」を選択し、それぞれ、縦ストライプ状、横ストライプ状、及び斜めストライプ状のパターンを有するパターン付き文字線によって表記されるように、磁気インクを用いて印刷した。印刷時のフォントは「明朝体」を採用し、文字のサイズ（ポイント数）は１４ポイントとした。
【００５５】
文字列構成文字の印刷は、インクジェットプリンタを用いて行った。
【００５６】
印刷された各文字を、英国デ・ラ・ルー公開有限会社製の磁気インク文字読取装置（型式名「ＭＩＣＲＥＸ」）を用いて読み、得られた磁気波形パターンを比較した。文字の読み込みに先立って、「Ｅ１３Ｂ」のフォントにより磁気インクで印刷された「ＯＮ  ＵＳ」という文字列を上記磁気インク文字読取装置で読み込んで、磁気出力１００％の値を校正した。
【００５７】
印刷された各パターン付き文字線による文字、及び磁気インク文字読取装置の磁気出力を、図３〜５に示した。図３が「０」、図４が「１」、及び図５が「３」に関し、各図の（ａ）が全面塗潰しのパターン（文字線が実線）であり、（ｂ）が縦ストライプ状、（ｃ）が横ストライプ状、及び（ｄ）が斜めストライプ状のパターン付き文字線によった場合である。
【００５８】
磁気出力パターングラフの横軸は、各文字の横方向の位置を示す相対値である。グラフの縦軸は、磁気出力の相対値である。横軸及び縦軸とも数字の値自体に意味はなく、グラフに現れた磁気パターンの形状に注目すべきである。
【００５９】
図３〜図５それぞれの（ａ）〜（ｄ）図を比較すると、同じ文字（数字）であっても、印刷文字線のパターンが異なると、磁気出力パターン形状が相違することが分かる。また、図３〜図５において、（ａ）図同士、（ｂ）図同士、（ｃ）図同士、及び（ｄ）図同士をそれぞれ比較すると、文字を表記する文字線のパターンが同じ又は類似する場合であっても、文字種（数字）が異なると、磁気出力パターン形状が相違することが分かる。
【００６０】
これらのことから、本発明の方法を適用して、磁気インクで印刷された文字列を有する印刷物は、市販の磁気インク文字読取装置で得られたパターンによって、文字種及び文字線のパターンを識別可能であることが分かった。したがって、本発明の印刷物を磁気インク文字読取装置で読み込んで、得られた文字線のパターンを、例えば予め設定されたパターンテーブルと比較して、文字列中の特定の文字が所定パターンの文字線で表記されているか否かを調べることにより、当該印刷物の真贋判定を容易かつ確実に行うことが可能である。
【符号の説明】
【００６１】
１    ステム
２    上部修飾セリフ
３    下部修飾セリフ
１０    文字線
２０    パターン付き文字線
１００    文字
２００、３００    パターン付き文字
【図１】
2020185677.tif 000003
【図２】
2020185677.tif 000004
【図３】
2020185677.tif 000005
【図４】
2020185677.tif 000006
【図５】
2020185677.tif 000007